(57)【要約】【課題】メダル通路に備えられるメダルの検知手段に対する不正行為を不能にする不正対策に優れた能力を有するメダル通過検知センサ及び遊技機の投入メダル選別装置を提供する。【解決手段】金属製のメダルが１枚ずつ通過する通路の通路方向に沿って第１の検知手段と第２の検知手段を配置し、前記両検知手段の互いの検知領域が重なる検知領域と重ならない検知領域が存在する配置間隔に設定して前記両検知手段を配置したメダル通過検知センサであって、前記両検知手段には送信部と受信部をそれぞれ備え、送信部から前記通路を交差する方向に送信して受信部へと至る信号が遮断されたか否かに基づき、前記メダルの有無を検知し、前記第１の検知手段が送受信する信号を光信号で構成し、前記第２の検知手段が送受信する信号を磁気信号で構成する。【選択図】図５
2009112559.tif 000002
【特許請求の範囲】
【請求項１】
金属製のメダルが１枚ずつ通過する通路の通路方向に沿って第１の検知手段と第２の検知手段を配置し、前記両検知手段の互いの検知領域が重なる検知領域と重ならない検知領域が存在する配置間隔に設定して前記両検知手段を配置したメダル通過検知センサであって、
前記両検知手段には送信部と受信部をそれぞれ備え、送信部から前記通路を交差する方向に送信して受信部へと至る信号が遮断されたか否かに基づき、前記メダルの有無を検知し、
前記第１の検知手段が送受信する信号を光信号で構成し、
前記第２の検知手段が送受信する信号を磁気信号で構成した
メダル通過検知センサ。
【請求項２】
前記第１の検知手段は、送信部から周期的にパルスの発光を行い、そのパルスの発光に応じた受光信号が受信部に入光されているか否かによって、メダルの有無を検知する検知手段であり、
前記第２の検知手段は、前記第１の検知手段から出力されるパルスを駆動源として該第２の検知手段の送信部を発振出力させ、その発振信号に応じた信号が受信部に受信されたか否かによって、該メダルの有無を検知する検知手段である
請求項１に記載のメダル通過検知センサ。
【請求項３】
前記第１の検知手段が光信号を発生する光信号発生部と、前記第２の検知手段が磁気信号を発生する磁気信号発生部とを接続し、第１の検知手段の光信号発生に対するタイミング発生回路と第２の検知手段の磁気信号発生に対するタイミング発生回路との信号発生出力を同期させた
請求項１または２に記載のメダル通過検知センサ。
【請求項４】
前記メダルを通過させる通路の通過方向の上流側に第１の検知手段を配置し、その下流側に前記第２の検知手段を配置した
請求項１、２または３に記載のメダル通過検知センサ。
【請求項５】
メダルが通過する通路方向に交差して配設される検知手段の送信部と受信部との送受信方向の角度を、第１の検知手段と第２の検知手段とで異ならせて配置した
請求項１〜４の何れか１つに記載のメダル通過検知センサ。
【請求項６】
請求項１〜５の何れか１つに記載のメダル通過検知センサを備えた遊技機の投入メダル選別装置。
【発明の詳細な説明】
【技術分野】
【０００１】
この発明は、通路を通過するメダルを検知するメダル通過検知センサに関し、さらに詳しくは不正対策に優れたメダル通過検知センサ及びスロットマシンのような遊技機の投入メダル選別装置に関する。
【背景技術】
【０００２】
従来、スロットマシンのような遊技機の投入メダル選別装置は、特許文献１に開示されているように、メダル投入口の内方に垂直方向から斜め下向きに傾斜させたメダル転動通路を設け、この通路をメダルが通過する時に自重により転動して搬送される過程でメダルの適・不適を大きさ別に選別して取込処理と、返却処理を行っている。また、取込処理されるメダルに対しては、メダル通過検知センサによりメダルの通過を検知して取り込まれたメダルの通過枚数を計数している。
【０００３】
このメダル通過検知センサの一例として、図１３〜図１６に示した構造のものが知られている。図１３は投入メダル選別装置に用いられるメダル通過検知センサの斜視図、図１４はメダル通過検知センサの正面図、図１５は図１４のＡ−Ａ線矢視断面図、図１６は図１４のＢ−Ｂ線矢視断面図である。
【０００４】
このメダル通過検知センサ１３０は、２分割構造のケース１３１，１３２内に回路基板１３３と素子ブロック１３４を配置し、メダル１３５通過側に位置する一方のケース１３１の内部上側には、発光ダイオード（ＬＥＤ）などから成る投光素子１３６Ａを設け、内部下側には、フォトトランジスタまたはフォトダイオードなどから成る受光素子１３７Ａを設ける。そして、これらの素子１３６Ａ，１３７Ａに対応して一方のケース１３１には光軸通路としてのスリット１３８を形成し、該ケース１３１のメダル通路１４０（図１７参照）上方に延出する延出部１３１ａには、投光素子１３６Ａから発した光を受光素子１３７Ａ側へ反射させる反射板１３９を設け、一方の投光素子１３６Ａと受光素子１３７Ａとで第１センサＳ１３を構成している。また、第１センサＳ１３の投光素子１３６Ａと受光素子１３７Ａの配置を上下逆にした他方の投光素子１３６Ｂと受光素子１３７Ｂとで第２センサＳ１４を構成している。
【０００５】
このように、投光素子１３６Ａ，１３６Ｂと、受光素子１３７Ａ，１３７Ｂとを備えているので、通路方向に２つの光軸Ｘ１３，Ｘ１４（図１７においては図示の便宜上、○印にて示す）が形成され、図１７に示すようにメダル１３５がメダル通路１４０に沿って矢印方向へ移動して、メダル１３５で光軸Ｘ１３，Ｘ１４をこの順に遮ることで、メダル１３５の通過を検出することができる。また、その出力の重なり方によりメダル通過方向を検知している。
【０００６】
また、遊技者がスロットマシンを使用する際、スロットマシンの一例としてメダル投入時の受付許容枚数（クレジット）を例えば５０枚とした場合、５１枚目が投入された時点で、その５１枚目メダルをスロット内部に取り込まないようにするクレジット枚数制限手段が備えられている。このクレジット枚数制限手段では、メダル通過検知センサ１３０の信号に連動させて、図１７に示すように、５０枚目のメダル１３５ａと５１枚目のメダル１３５ｂとの間にメダル仕切りレバー（ブロッカ）１４１を通路に向けて突出させることにより、５０枚目と５１枚目のメダル１３５ａ，１３５ｂが連なって接触する状態でも、その間を仕切って確実に５１枚目のメダル１３５ｂを排除するようにしている。
【０００７】
よって、ブロッカ１４１の突出位置は、５０枚目のメダル１３５ａと５１枚目のメダル１３５ｂが作る僅かの空間に突出させる必要がある。この位置にブロッカ１４１を正確に突出させるためには、メダル通過検知センサ１３０が正確にメダルを検出する精度が必要になる。
【０００８】
しかし、現状の検知原理では、第１センサと第２センサとの両センサが同じ検知原理であるため、同一の検知原理で不正（光ゴト）が可能になってしまう。具体的には、ＬＥＤ等の投光素子を２個、メダル投入口から挿入して通路内で点滅されることによりセンサが誤動作し、メダルが通過されることなくメダルを検知したと誤計数してしまい、不正行為を完全に防止できなかった。
【０００９】
さらに、光センサ以外の他のセンサとして、近接センサを使用したコインセンサが知られている(例えば特許文献２参照)。このコインセンサは送信コイルを発振させ、その発振信号を受信コイルで受信させた状態で、コイン（メダル）をその間に通過させ、その時の波形もしくは、受信レベル（電圧）をメモリに記憶させておき、このメモリのデータを用いてコイン選別を行うようにしたものがある。このコイン選別方法は、複数種の適正コインがコイン通路を通過したときの受信データをメモリに格納しておき、そのメモリに格納された受信データと、投入されたコインの受信データとを比較することにより投入されたコインの種別を選別している。
【００１０】
しかしながら、適正コインのデータを格納しておくためのメモリと、メモリに格納させるための回路（ＣＰＵ等）が必要になるため、制御に要する部品点数が多くなり、コスト高となっていた。
【００１１】
特に、近接センサの場合、検出対象のコインは、金属材質の種類、メッキの種類等に応じて検出する際の感度が大きく変化する磁気信号が用いられることになる。また、磁気信号の感度分布が光センサに比べて小さいことからコイン通路に配置する場合にも、その通路の近傍や配置方向が限られるなど様々な制約を受ける問題を有していた。
【００１２】
【特許文献１】特開２００５−２７０６２１号
【特許文献２】特開平５−１５１４２０号
【発明の開示】
【発明が解決しようとする課題】
【００１３】
そこでこの発明は、メダル通路に備えられるメダルの検知手段に対する不正行為を不能にする不正対策に優れた能力を有するメダル通過検知センサ及び遊技機の投入メダル選別装置を提供することを目的とする。
【課題を解決するための手段】
【００１４】
この発明は、金属製のメダルが１枚ずつ通過する通路の通路方向に沿って第１の検知手段と第２の検知手段を配置し、前記両検知手段の互いの検知領域が重なる検知領域と重ならない検知領域が存在する配置間隔に設定して前記両検知手段を配置したメダル通過検知センサであって、前記両検知手段には送信部と受信部をそれぞれ備え、送信部から前記通路を交差する方向に送信して受信部へと至る信号が遮断されたか否かに基づき、前記メダルの有無を検知し、前記第１の検知手段が送受信する信号を光信号で構成し、前記第２の検知手段が送受信する信号を磁気信号で構成したものである。
【００１５】
前記光信号を用いて構成される第１の検知手段としては、例えば投光素子にパルス電流を流し、投光素子を間欠点灯する変調光タイプの光センサを用いるとよい。この変調光タイプの光センサにした場合は、投光素子の発熱が抑えられるため、より大きい発光量が得られる。
【００１６】
また、磁気信号を用いて構成される第２の検知手段としては、例えば送信部により発生した磁束を、これと対向して配置された受信部に受信させて検知する近接センサを用いるとよい。この近接センサにすることにより、送信部と受信部との間に金属製のメダルが介在されると、送信部からの磁束が遮断され、受信部に磁束が届かなくなることで、金属製のメダルを検知することができる。
【００１７】
前記構成によれば、光信号を用いた第１の検知手段と、磁気信号を用いた第２の検知手段との異種信号を併用してメダルの通過を検知するため、光信号による検知と磁気信号による検知との異質の両信号を用いることから不正治具の作成が困難になり、検知原理の異なる素子及び回路を搭載する必要があるため不正治具が大型化して不正行為の実現が困難になり、不正防止に適した対策となる。また、メダルのほか、流通硬貨やコインなどの金属製の円形媒体にも適用できる。
【００１８】
この発明の態様として、前記第１の検知手段は、送信部から周期的にパルスの発光を行い、そのパルスの発光に応じた受光信号が受信部に入光されているか否かによって、メダルの有無を検知する検知手段であり、前記第２の検知手段は、前記第１の検知手段から出力されるパルスを駆動源として該第２の検知手段の送信部を発振出力させ、その発振信号に応じた信号が受信部に受信されたか否かによって、該メダルの有無を検知する検知手段であることを特徴とする。
【００１９】
前記構成によれば、第２の検知手段の送信部の駆動を、第１の検知手段の投光パルスで駆動できるので、第２の検知手段の駆動源を省略できる。よって、第２の検知手段を小型化できる。
【００２０】
この発明の態様として、前記第１の検知手段が光信号を発生する光信号発生部と、前記第２の検知手段が磁気信号を発生する磁気信号発生部とを接続し、第１の検知手段の光信号発生に対するタイミング発生回路と第２の検知手段の磁気信号発生に対するタイミング発生回路との信号発生出力を同期させたことを特徴とする。
【００２１】
前記構成によれば、双方のタイミング発生回路の同期をとることにより、タイミングに同期した信号を発生させて正確な信号の受信ができるため、より不正に対して強くなり、遊技機の不正防止に対して有効となる。
【００２２】
この発明の態様として、前記メダルを通過させる通路の通過方向の上流側に第１の検知手段を配置し、その下流側に前記第２の検知手段を配置したことを特徴とする。
【００２３】
検知性質が異なる光センサと磁気センサとでは、光信号を用いる光センサの方が検出精度が良いので、主にブロッカ制御に使用される第１の検知手段に光センサを適用するのが適している。
【００２４】
この発明の態様として、メダルが通過する通路方向に交差して配設される検知手段の送信部と受信部との送受信方向の角度を、第１の検知手段と第２の検知手段とで異ならせて配置したことを特徴とする。
【００２５】
メダル通路に検知手段を配置する場合に、光信号を用いた第１の検知手段にあっては、検出距離を延ばすことが比較的容易であることからメダル通路の形状に対応した自由な配置構成がとれる。例えば、スロットマシンの投入メダル選別装置の場合であれば、メダル通路に対して任意の傾斜角度に傾斜させた光軸で検知する配置構成が可能になる。ことに、メダルを排除する排出口には光軸のみが対応し、干渉部材が存在しないので第１の検知手段の領域をメダル排除空間に利用してメダルを排除する空間を多く確保することができる。
【００２６】
一方、第２の検知手段では磁気信号を用いるため、光信号に比べて検出できる距離が短く（検出感度が低い）、メダルに対して垂直な検出軸（磁気軸）でしか配置できないので透過型の構成にしなければ、メダルの検出ができない。よって、第２の検知手段はメダル通路を挟んだ状態に配設されることになる。
【発明の効果】
【００２７】
この発明によれば、不正行為を困難にする検知機能を有しているので、不正行為の対策に極めて有効である。
【実施例１】
【００２８】
この発明の一実施例を以下図面に基づいて説明する。  
図面は遊技機の一例として遊技ホールに設置されるスロットマシンを示し、図１はスロットマシンの外観斜視図である。このスロットマシン１１は接客面としての前面上部にパネル１２とリール部１３を有し、前面中央の幅方向に３個の並列するストップボタン１４を有し、その左側にスタートレバー１５と掛け数設定ボタン１６を、右側に返却ボタン（清算ボタン）１７とメダルＭを１枚ずつ投入するための投入口１８とを有し、これらの前面下部に上皿１９と下皿２０を有している。
【００２９】
そして、遊技者がスロットマシン１１を遊技利用するときに、前記投入口１８にメダルＭが１枚ずつ投入される。投入されたメダルＭは内部で選別され、有効と選別された適正なメダルＭは内部に取込まれ、不適正と選別されたメダル類や所定枚数を越える余剰メダルはメダル返却通路(図２参照)２６を介して下皿２０へと返却させるメダル選別機能を有している。また、遊技者が遊技を中止するために清算ボタン１７を押下操作した場合もメダルＭは下皿２０へと返却される。
【００３０】
図２はスロットマシン１１の前面扉１１ａを片開き式に開口した扉の内部構造を示す斜視図である。この開口されたスロットマシン本体１１ｂ側には、上部に制御部１１ｃを設置し、中央部に外周面の絵柄の位置を回転・停止させて遊技利用を行う３列のリール部１３を設置し、下部の中央にメダルの取込み、及び払い出し用のメダル払出装置２１を設置し、その左側に電源装置２２を設置し、右側にオーバフロータンク２３を設置している。前記制御部１１ｃは投入メダル選別装置(メダルセレクタ)２５の信号を処理し、またスロットマシン全体を制御する。
【００３１】
一方、前面扉１１ａ側には、内面上部より下部にかけてリールカバー２４と、メダルの適否を選別するメダルセレクタ２５と、メダル返却通路２６と、返却口２７とをこの順に有している。そして、投入口１８に投入されたメダルＭは一旦メダルセレクタ２５に導かれ、ここで選別された後、受付許可されたメダルはメダルセレクタ２５の出口に接続されているメダル搬送通路２５ａを介して前記メダル払出装置２１の上部に備えられているメダルホッパ２１ａに受入れられる。これに対し、メダルセレクタ２５で受付拒否された排除メダルは、メダル返却通路２６を介して下皿２０へと返却される。
【００３２】
上述のメダルセレクタ２５は、図３及び図４に示すように、平面視コの字状の基板３１と、開閉板３２とを備え、開閉板３２側の支軸３３を基板３１側の軸受部３４に軸支すると共に、バネ３５により開閉板３２を常時基板３１側に付勢し、これら基板３１と開閉板３２との両者によりメダル通路３６を形成している。
【００３３】
このメダル通路３６は上述した投入口１８に接続対応する入口３７と下方の出口３８とを有するＬ字状に形成され、入口３７から下方に延びる縦辺部と、斜め下方に延びて出口３８に至る下辺部と、これら両辺部を湾曲状に連通して接続する湾曲部とを備えている。
【００３４】
また、図３に示すように開閉板３２の裏側には支軸３９を支点として、図４に示すように揺動可能な可動ガイド板４０を設け、この可動ガイド板４０のガイド部４１を基板３１の開口部４２に対応するメダル通路３６の上部に臨設し、このガイド部４１でメダルＭの上端側を搬送ガイドすべく構成している。
【００３５】
さらに、上述の基板３１の裏側には、図４に示すようにソレノイド４３で駆動されるレバー４４を設け、このレバー４４には基板３１の裏側に位置する排出部材としてのブロッカ４５を一体に折り曲げ形成し、このブロッカ４５の下端ブロック部４５ａをメダル通路３６下流側の開口部３６ａから該メダル通路３６に向けて出没可能な構成を有している。
【００３６】
また、レバー４４の遊端４４ａを可動ガイド板４０の上端４０ａに対向させ、ソレノイド４３のＯＮ時にレバー４４の遊端４４ａで可動ガイド板４０の上端４０ａを押圧して、そのガイド部４１でメダルＭの上端側を搬送ガイドすると共に、ブロッカ４５の下端ブロック部４５ａをメダル通路３６の開口部３６ａから裏面側に後退させ、ソレノイド４３のＯＦＦ時にはガイド部４１によりメダルＭの上端側の搬送ガイドを解除すると共に、ブロッカ４５の下端ブロック部４５ａをメダル通路３６の開口部３６ａから通路３６側へ突出させて、異径メダルを開閉板３２の排出口３２ａから排出して、不適合の大きさのメダル類を外部の返却口２７に返却すべく構成している。
【００３７】
従って、出口３８からは遊技機用として専用に設けられた一定の大きさの円板形状を有する適正な大きさのメダルＭのみが受け入れ許容される。この出口３８の直前部においてメダル通路３６を形成する基板３１の通路壁には、メダル通路３６を通過するメダルＭを探知して計数するメダル通過検知センサ５１を取付けている。
【００３８】
このメダル通過検知センサ５１は、図５〜図８に示すように構成されている。図５はメダル通過検知センサ５１を示す外観斜視図、図６はメダル通過検知センサ５１の正面図、図７は第１検知センサＳ１を示す図６のＡ−Ａ線矢視断面図、図８は第２検知センサＳ２を示す図６のＢ−Ｂ線矢視断面図である。
【００３９】
前記メダル通過検知センサ５１は、縦長の逆凹型状を有し、その逆凹型状を有する中空のケース５２と、そのケース５２の開放された上面をカバー５３で閉鎖した２分割構造を有している。そして、ケース５２内部の収納空間に第１検知センサＳ１と第２検知センサＳ２を配置している。また、ケース５２の両側面にはメダルセレクタ２５への取付時の位置決め片５４を突設している。さらに、ケース５２の逆凹型の一側に垂下されている第１垂下部（図５では左側）５７の下部には下方に延びる突片５５を垂設し、この突片５５には取付け孔５６が形成されている。また、一側の第１垂下部５７と他側の第２垂下部（図５では右側）５８とで下面を開放した逆凹型状のメダル通路空間５９を形成している。このメダル通路空間５９がメダル検知領域として設けられ、このメダル検知領域がメダルを立ち姿で転動させるメダル通路３６に対応して配設される。そして、このメダル通路空間５９のメダル通路方向に沿って、上流側と下流側に第１検知センサＳ１と第２検知センサＳ２がこの順に位置するように並設している。
【００４０】
まず、第１検知センサＳ１について説明する。  
この第１検知センサＳ１は光センサが用いられ、図７に示すように、第２垂下部５８側のケース５２内上部に投光素子６０を配設している。この投光素子６０はケース５２内に配設された素子保持プレート６１に保持されており、その光軸Ｘ１を第２垂下部５８の斜め上方から第１垂下部５７側の斜め下方（例えば４５度）に向けている。また、投光素子６０のリード線６２を、第２垂下部５８側のケース５２内に格納されている第２回路基板６３に接続している。
【００４１】
一方、投光素子６０から光が投光された第１垂下部５７側には受光素子６４を配設している。この受光素子６４はケース５２内の両垂下部５７，５８に渡って配設されている素子保持プレート６１に保持されており、そのリード線６５を、第１垂下部５７側のケース５２内に格納されている第１回路基板６６に接続している。さらに、第１回路基板６６の上部にはコネクタ５３ａがカバー５３の上面に備えられている。
【００４２】
また、この受光素子６４は、光軸Ｘ１を受光する向きに配置されていて、該受光素子６４の受光面を覆う素子保持プレート６１の部分には受光通路としての光軸通路Ｌ１（スリット）が傾斜状に開口形成され、投光素子６０から受光素子６４に傾斜して至る受光角度を有する光軸Ｘ１を形成している。この光軸Ｘ１は斜め上方の投光素子６０から斜め下方の受光素子６４へと導かれる際に、該光軸Ｘ１が前記メダル通路空間５９を斜めに交差する。また、投光素子６０の光が受光素子６４に入ることで、該受光素子６４が入光を検知するように設定されている。従って、入光する光軸Ｘ１を遮らない限り遮光状態とならないように構成されている。
【００４３】
ところで、光信号を利用するセンサの場合、ケース５２に穴を開けると、その穴から静電気が侵入することになるのでメダルＭからの静電気対策としてケース５２の素材に赤外線のみを透過させる可視光カット樹脂を使用する。この可視光カット樹脂からなるケース５２を用いれば、ケース５２に入光用の開口穴を開けなくても投光素子６０から受光素子６４へと光（赤外線）を受光させることができるので静電気対策に有効である。
【００４４】
さらに、ケース５２の中間部内面には表面を凹凸に荒らした凹凸面６７を作成している。この凹凸面６７は、ケース５２を穴のない密封構成にしても、投光素子６０から照射された光がケース５２の肉厚内を全反射して、受光素子６４に届くのを該凹凸面６７で妨げる役目を有している。
【００４５】
光信号としては、投光素子６０にパルス電流を流し、投光素子６０を間欠点灯（例えば５〜１０μｓ点灯と、１００〜５００μｓ消灯を繰り返す）する変調光タイプの光センサを用いるとよい。この変調光タイプの光センサにした場合は、投光素子６０の発熱が抑えられるため、より大きい発光量が得られる。
【００４６】
さらに、メダル通路３６に第１検知センサＳ１を組込む場合においても、光信号を用いるため検出距離を延ばすことが比較的容易であることからメダル通路３６に対して４５度あるいは任意の傾斜角度に傾斜させた光軸Ｘ１でメダルを検知する配置構成が可能になる利点がある。この第１検知センサＳ１をメダル通路３６の上流側に配置した場合は、排出口３２ａに光軸Ｘ１のみが対応し、排出口３２ａの空間を維持して干渉部材が存在しないので第１検知センサＳ１の領域をメダル排除空間に利用でき、メダルを排除する排出口３２ａの空間を大きく確保することができる。  
このように上述の各素子６０，６４により、メダル通過方向の上流側に第１検知センサＳ１が構成されている。
【００４７】
次に、第２検知センサＳ２について説明する。  
この第２検知センサＳ２は近接センサが用いられ、図８に示すように、第１垂下部５７側のケース５２内下部に送信コイルＣ１を配設している。この送信コイルＣ１はケース５２内に配設された素子保持プレート６１に保持されて送信面をメダル通路空間５９側に向けた状態で第１回路基板６６に搭載されている。
【００４８】
一方、送信コイルＣ１から略水平に発振された第２垂下部５８側には受信コイルＣ２が配設されている。この受信コイルＣ２は第２垂下部５８側のケース５２内の下部に配設され、ケース５２内に配設された素子保持プレート６１に保持されて受信面をメダル通路空間５９側に向けた状態で第２回路基板６３に搭載されている。
【００４９】
前記送信コイルＣ１を発振させて発生した磁束（交流磁束）を、これと対向する受信コイルＣ２側に受信させる検知原理を有して近接センサを構成している。このように構成された近接センサでメダルを検知する場合、メダル通路空間５９に金属製のメダルＭが通過し始めると送信コイルＣ１が発生した磁束をメダルＭが遮断し、受信コイルＣ２に届かなくなることで、金属製のメダルＭの通過を検知することができる。
【００５０】
前記第２検知センサＳ２では磁気信号を用いるため、光信号に比べてメダルを検出できる有効な検出距離が短く（検出感度が低い）、メダルと直交する水平方向の磁気軸Ｘ２でしかメダルを検知できないので透過型の検知構成にしなければ、メダルの検出ができない。よって、第２検知センサＳ２はメダル通路空間５９を送信コイルＣ１と受信コイルＣ２とで両側より挟んだ状態に配設されることになる。
【００５１】
このように、光信号によりメダルＭを検知する第１検知センサＳ１と、磁気信号によりメダルＭを検知する第２検知センサＳ２との異質の両信号を併用することができる。このため、不正行為に対しては、光信号と磁気信号との２種類の信号で検知していることから不正治具の作成が困難になり、不正防止に適した対策となる。
【００５２】
次に、メダルセレクタ２５にメダル通過検知センサ５１を取り付ける際は、出口３８の直前における基板３１の通路壁に、メダル通路３６より高い位置に開口部４２と連通するセンサ取付口４２ａを開口し、このセンサ取付口４２ａにメダル通過検知センサ５１の第２垂下部５８側を基板３１の裏面側より通路側に向けて突出させた状態に取り付ける。
【００５３】
このように取り付けられるメダル通過検知センサ５１は、図３及び図４に示すように、基板３１のセンサ取付口４２ａからメダル通路３６を挟むように逆凹型状のケース５２が配置され、該ケース５２の突片５５が基板３１の裏面に固定される。また、メダル通過検知センサ５１の全体はメダル通路３６の片面側からのみ投受光及び投受信し得るコンパクトな配置構成となっている。
【００５４】
そして、メダルセレクタ２５にメダル通過検知センサ５１を備えた場合、図９に示すように、メダル通路３６の通過方向に沿って、第１検知センサＳ１の光軸Ｘ１と第２検知センサＳ２の検出軸（磁気軸）Ｘ２とが形成される。そして、メダルＭがメダル通路３６に沿って転動し、メダルＭが各軸Ｘ１，Ｘ２を、この順に遮ることで、メダルＭの通過を検出することができる。
【００５５】
図１０はメダル通過検知センサ５１の制御回路ブロック図を示し、この回路は第１検知センサＳ１の処理回路と第２検知センサＳ２の処理回路とを備えて構成される。第１検知センサＳ１の処理回路では、受光素子６４の次段に受光信号を増幅する増幅回路１０１を接続し、この増幅回路１０１の次段に判定回路１０２を接続している。また、判定回路１０２で判定されたメダル検知出力の判定結果が出力回路１０３から出力される。
【００５６】
さらに、タイミング発生回路（同期回路）１０４を上述の判定回路１０２と投光素子駆動回路（ＬＥＤ駆動回路）１０５との双方に接続し、発振回路１０６からの発振信号に応じて投光素子駆動回路１０５で間欠点灯される投光素子６０の投光パルスと、この投光パルスを受光する受光素子６４の受光タイミングとを同期させている。この同期をとることにより、投光タイミングに同期した受光信号を複数回（例えば３回）受光後、入光状態となるようにしている。これにより、投光素子以外からの光の除去率を向上させている。
【００５７】
次に、第２検知センサＳ２の処理回路では、送信コイルＣ１の前段に発振回路１０７を接続し、この発振回路１０７がパルス信号（間欠波形）を発生することで、送信コイルＣ１は送信波形を出力（磁束を発生）する。受信コイルＣ２では送信コイルＣ１が発生する磁束により誘導され、この誘導により受信波形（図１１参照）が電圧として得られる。受信コイルＣ２の次段には積分回路１０８が接続され、この積分回路１０８で受信波形を波形整形し、間欠的に受信した波形を次の波形まで持続させる。積分回路１０８の次段には判定回路１０９を接続し、ここで電圧大小により信号の有無を判定する。判定回路１０９で判定されたメダル有無の判定結果が出力回路１１０を介して出力される。  
また、上述の各回路要素６０，６４，Ｃ１，Ｃ２，１０１〜１１０には、定電圧回路（電源回路）１１１からの電源が供給されるように構成している。
【００５８】
図１１は磁気信号によりメダルを検知する第２検知センサＳ２のタイムチャートを示し、第２検知センサＳ２は発振回路１０７から発振されたパルス信号によって送信コイルＣ１が出力する波形はパルス信号ごとに応じた減衰する波形が間欠的に出力される。一方、受信コイルＣ２側では、メダルなしの時は減衰波形が小さく出力されるのに対し、メダルありの時は、減衰波形が遮断されて出力されない。このような波形の変化（発振信号の変化）によりメダル通過の有無を判別できる。
【００５９】
また、第１検知センサＳ１と第２検知センサＳ２とでは、第１検知センサＳ１の方が主にブロッカ制御に使用されるため、検出位置精度が必要であり、第１検知センサＳ１に光センサを適用し、下流側に第２検知センサＳ２の磁気センサを適用する。
【００６０】
このように構成したメダル通過検知センサ５１をメダルセレクタ２５に備えた場合、メダル通路３６に導かれた適正なメダルＭはメダル通過検知センサ５１を通過して内部に取り込まれる。このとき、メダルＭはメダル通過検知センサ５１の第１検知センサＳ１の光軸Ｘ１と第２検知センサＳ２の磁気軸Ｘ２を遮りながら通過する。この通過時の遮光信号と磁気遮断信号の順序からメダルが適正に取り込まれたことを検知し、メダルの通過枚数を計数する。
【００６１】
このメダルＭの検知時において、投光素子６０からの光軸Ｘ１が受光素子６４に受光及び遮光される状態を検知確認するだけでなく、送信コイルＣ１からの磁気軸Ｘ２が受信コイルＣ２に受信及び遮断される状態を検知確認している。光軸Ｘ１及び磁気軸Ｘ２が共に正常に動作している場合は、不正信号の発生がなく、これらの信号を管理する制御部では正常なメダルの取込処理動作が実行されていると判定できる。
【００６２】
これに対し、不正治具がメダル通路３６に挿入されて、通路内部で不正な光を点滅させるような光ゴト行為が行われた場合は、仮に不正光が第１検知センサＳ１の光軸Ｘ１に入光したとしても、第２検知センサＳ２は反応しないので第１検知センサＳ１と第２検知センサＳ２の出力タイミングが異常となるためメダル通過検知センサ５１を管理するスロットマシン側において、利用中止やアラームを駆動するなどの光ゴト行為に対する適切な対策を講じることができる。
【実施例２】
【００６３】
図１２はメダル通過検知センサの他の実施例を示す制御回路ブロック図である。ここで、実施例２のメダル通過検知センサは実施例１のメダル通過検知センサ５１と比較して、特に第２検知センサＳ２の駆動源が異なり、他の回路構成は同じであるため、同一の部分については同じ符号を用いてその説明を省略し、異なる部分についてのみ説明する。
【００６４】
第２検知センサＳ２の送信コイルＣ１は、実施例１で示した発振回路１０７を省略し、該発振回路１０７に代えて第１検知センサＳ１の投光素子駆動回路１０５と接続し、この投光素子駆動回路１０５から出力されるパルスを駆動源としている。よって、第１検知センサＳ１と第２検知センサＳ２との間をつなぐセンサ間接続ライン１２１を介して投光素子駆動回路１０５から出力されたパルスを駆動源として送信コイルＣ１駆動される。そして、該送信コイルＣ１が受信コイルＣ２に向けて発振し、その発振信号に応じた信号が受信コイルＣ２に受信されたか否かによって、メダル通知の有無を検知する。
【００６５】
従って、この実施例２によれば、第２検知センサＳ２の駆動を、第１検知センサＳ１の駆動源（投光パルス）によって駆動できるので、第２検知センサＳ２の駆動源（発振回路１０７）を省略することができる。
【００６６】
また、第１検知センサＳ１の投光素子駆動回路１０５と第２検知センサＳ２の送信コイルＣ１とをセンサ間接続ライン１２１を介して接続しているので、第１検知センサＳ１のタイミング発生回路１０４によるパルス発生信号と、第１検知センサＳ１側での磁気信号発生タイミングとを同期させることができる。同期させることにより、受信コイルＣ２は、送信コイルＣ１から送信される磁束のタイミングのみ受信することが可能であるため、より不正が難しくなる。
【００６７】
この発明の構成と、上述の実施例の構成との対応において、
この発明の第１の検知手段は、実施例の第１検知センサＳ１に対応し、
以下同様に、
第２の検知手段は、第２検知センサＳ２に対応し、
送信部は、投光素子６０と送信コイルＣ１に対応し、
受信部は、受光素子６４と受信コイルＣ２に対応し、
光信号発生部は、投光素子駆動回路１０５に対応し、
磁気信号発生部は、送信コイルＣ１に対応し、
投入メダル選別装置は、メダルセレクタ２５に対応し、
遊技機は、スロットマシン１１に対応するも、
この発明は、請求項に示される技術思想に基づいて応用することができ、上述の実施例の構成のみに限定されるものではない。例えば、図１０の制御回路ブロック図において投光素子６０及び送信コイルＣ１以外の部分はＩＣ化してもよく、各要素１０１〜１１０はＩＣ回路に代えてＣＰＵで構成してもよい。
【図面の簡単な説明】
【００６８】
【図１】実施例１のスロットマシンの外観斜視図。
【図２】実施例１のメダルセレクタの配設箇所を示すスロットマシンの内部構成図。
【図３】実施例１のメダルセレクタの基板と開閉板との対応状態を背面側から見た分解斜視図。
【図４】実施例１のメダルセレクタの基板と開閉板との対応状態を正面側から見た分解斜視図。
【図５】実施例１のメダル通過検知センサを示す外観斜視図。
【図６】実施例１のメダル通過検知センサを示す正面図。
【図７】実施例１の第１検知センサを示す図６のＡ−Ａ線矢視断面図。
【図８】実施例１の第２検知センサを示す図６のＢ−Ｂ線矢視断面図。
【図９】実施例１のメダルの通過状態と両検知センサの検知位置との関係を示す説明図。
【図１０】実施例１のメダル通過検知センサの制御回路ブロック図。
【図１１】第２検知センサの波形を示すタイムチャート。
【図１２】実施例２のメダル通過検知センサの制御回路ブロック図。
【図１３】従来のメダル通過検知センサを示す外観斜視図。
【図１４】従来のメダル通過検知センサを示す正面図。
【図１５】図１４のＡ−Ａ線矢視断面図。
【図１６】図１４のＢ−Ｂ線矢視断面図。
【図１７】従来のメダルの通過状態とメダル間の仕切り状態を示す説明図。
【符号の説明】
【００６９】
１１…スロットマシン
２５…メダルセレクタ
５１…メダル通過検知センサ
５９…メダル通路空間
６０…投光素子
６４…受光素子
１２１…センサ間接続ライン
Ｃ１…送信コイル
Ｃ２…受信コイル
Ｓ１…第１検知センサ
Ｓ２…第２検知センサ
【図１】
2009112559.tif 000003
【図２】
2009112559.tif 000004
【図３】
2009112559.tif 000005
【図４】
2009112559.tif 000006
【図５】
2009112559.tif 000007
【図６】
2009112559.tif 000008
【図７】
2009112559.tif 000009
【図８】
2009112559.tif 000010
【図９】
2009112559.tif 000011
【図１０】
2009112559.tif 000012
【図１１】
2009112559.tif 000013
【図１２】
2009112559.tif 000014
【図１３】
2009112559.tif 000015
【図１４】
2009112559.tif 000016
【図１５】
2009112559.tif 000017
【図１６】
2009112559.tif 000018
【図１７】
2009112559.tif 000019